(57)【要約】【課題】  扉の不正な開操作を防止することができ、しかも製造費が安価である施錠装置を提供する。【解決手段】筐体側ユニット５には、受け部材３７を設ける。扉側ユニット６には、扉３が閉位置に回動したときに受け部材３７によって支持される支持ローラ３８を設ける。下鉤部材１４には、扉３を閉回動させたときに支持ローラ３８に突き当たることによって下鉤部材１４をロック位置から解除位置まで移動させた後、支持ローラ３８が通過する傾斜板部１４ｇを設ける。筐体２の奥側における傾斜板部１４ｇの端部には、下鉤部材１４がロック位置に位置した状態で扉３が閉位置から開回動するときに、支持ローラ３８に突き当たることによって扉３の閉回動を阻止する突き当たり部１４ｈを設ける。【選択図】    図３
2008086443.tif 000002
【特許請求の範囲】
【請求項１】
ゲーム機の筐体とこの筐体に閉位置と開位置との間をほぼ水平方向へ回動可能に連結された扉との間に設けられたゲーム機の施錠装置であって、上記扉に固定された係合部材と、上記筐体に、上記係合部材に係合したロック位置と、上記係合部材との係合が解除した解除位置との間を変位可能に設けられた鉤部材と、この鉤部材を上記解除位置から上記ロック位置に向かって付勢する付勢手段と、上記扉に設けられ、上記扉が上記閉位置に位置している閉時に開操作されると上記鉤部材を上記付勢手段の付勢力に抗して上記ロック位置から上記解除位置まで変位させる錠前と、上記筐体に設けられた受け部材と、上記扉に設けられ、上記扉の閉時には上記受け部材によって支持される被支持部材とを備えたゲーム機の施錠装置において、
上記筐体には、第１の位置と第２の位置との間を変位可能で、上記扉の閉時に上記錠前が開操作されると、その開操作に伴って上記第１の位置から上記第２の位置まで変位させられるストッパ、及びこのストッパを上記第２の位置から上記第１の位置に向かって付勢する第２付勢手段が設けられ、
上記ストッパは、上記扉が所定の位置を越えて閉回動すると、上記被支持部材が上記ストッパに突き当たることにより上記第２付勢手段の付勢力に抗して上記第１の位置から上記第２の位置まで変位させられ、その後上記扉が上記閉位置に回動するまでの間に上記被支持部材が上記ストッパを通過すると、上記第２付勢手段によって上記第２の位置から上記第１位置まで変位させられ、上記第１の位置に位置しているときに上記扉が上記閉位置から上記開位置に向かって開回動すると、上記被支持部材が上記ストッパに突き当たることによって上記扉の開回動を阻止することを特徴とするゲーム機の施錠装置。
【請求項２】
上記ストッパが上記鉤部材と一体に変位するように上記鉤部材に設けられ、上記鉤部材の上記ロック位置及び上記解除位置がそれぞれ上記ストッパの上記第１の位置及び上記第２の位置とされ、上記付勢手段が上記第２付勢手段として兼用されていることを特徴とする請求項１に記載のゲーム機の施錠装置。
【請求項３】
上記筐体には、係止部材が、上記鉤部材の上記ロック位置から解除位置への変位を阻止する変位阻止位置と、上記鉤部材の上記ロック位置から上記解除位置への変位を許容する変位許容位置との間を変位可能に設けられるとともに、この係止部材を上記変位許容位置から上記変位阻止位置に向かって付勢する第３付勢手段が設けられ、
上記係止部材には、上記扉が所定の位置を越えて閉回動すると、上記被支持部材が突き当たる当接部が設けられ、
上記係止部材は、上記扉の閉時に上記錠前が開操作されると、その開操作に伴って上記変位阻止位置から上記変位許容位置まで変位させられ、上記扉が所定の位置を越えて閉回動すると、上記被支持部材が上記当接部に突き当たることにより、上記第３付勢手段の付勢力に抗して上記変位阻止位置から上記変位許容位置まで変位させられ、その後上記扉が上記閉位置に回動するまでの間に上記被支持部材が上記当接部を通過すると、上記第３付勢手段によって上記変位許容位置から上記変位阻止位置まで変位させられることを特徴とする請求項１に記載のゲーム機の施錠装置。
【請求項４】
上記ストッパが上記係止部材と一体に変位するように上記係止部材に設けられ、上記ストッパに上記当接部が設けられ、上記係止部材の上記変位阻止位置及び上記変位許容位置がそれぞれ上記ストッパの上記第１、第２の位置とされ、上記第３付勢手段が上記第２付勢手段として兼用されていることを特徴とする請求項３に記載のゲーム機の施錠装置。
【請求項５】
ゲーム機の筐体とこの筐体に閉位置と開位置との間をほぼ水平方向へ回動可能に連結された扉との間に設けられたゲーム機の施錠装置であって、上記扉に設けられた係合部材と、上記筐体に、上記係合部材に係合したロック位置と、上記係合部材との係合が解除した解除位置との間を変位可能に設けられた鉤部材と、この鉤部材を上記解除位置から上記ロック位置に向かって付勢する付勢手段と、上記扉に設けられ、上記扉が上記閉位置に位置している閉時に開操作されると上記鉤部材を上記付勢手段の付勢力に抗して上記ロック位置から上記解除位置まで変位させる錠前と、上記筐体に設けられた受け部材と、上記扉に設けられ、上記扉の閉時には上記受け部材によって支持される被支持部材とを備えたゲーム機の施錠装置において、
上記鉤部材には、上記扉が所定の位置を越えて閉回動すると、上記被支持部材が突き当たる被係合部が設けられ、
上記鉤部材は、上記扉が上記所定の位置を越えて閉回動すると、上記被支持部材が上記被係合部に突き当たることにより上記付勢手段の付勢力に抗して上記ロック位置から上記解除位置まで変位させられ、その後上記扉が上記閉位置に回動するまでの間に上記被支持部材が上記被係合部を通過すると、上記付勢手段によって上記解除位置から上記ロック位置まで変位させられることを特徴とするゲーム機の施錠装置。
【請求項６】
ゲーム機の筐体とこの筐体に閉位置と開位置との間をほぼ水平方向へ回動可能に連結された扉との間に設けられたゲーム機の施錠装置であって、上記扉に設けられた係合部材と、上記筐体に、上記係合部材に係合したロック位置と、上記係合部材との係合が解除した解除位置との間を変位可能に設けられた鉤部材と、この鉤部材を上記解除位置から上記ロック位置に向かって付勢する付勢手段と、上記扉に設けられ、上記扉が上記閉位置に位置している閉時に開操作されると上記鉤部材を上記付勢手段の付勢力に抗して上記ロック位置から上記解除位置まで変位させる錠前と、上記筐体に設けられた受け部材と、上記扉に設けられ、上記扉の閉時には上記受け部材によって支持される被支持部材とを備えたゲーム機の施錠装置において、
上記筐体には、係止部材が、上記鉤部材の上記ロック位置から解除位置への変位を阻止する変位阻止位置と、上記鉤部材の上記ロック位置から上記解除位置への変位を許容する変位許容位置との間を変位可能に設けられるとともに、この係止部材を上記変位許容位置から上記変位阻止位置に向かって付勢する第３付勢手段が設けられ、
上記係止部材には、上記扉が所定の位置を越えて閉回動すると、上記被支持部材が突き当たる当接部が設けられ、
上記係止部材は、上記扉の閉時に上記錠前が開操作されると、その開操作に伴って上記変位阻止位置から上記変位許容位置まで変位させられ、上記扉が所定の位置を越えて閉回動すると、上記被支持部材が上記当接部に突き当たることにより、上記第３付勢手段の付勢力に抗して上記変位阻止位置から上記変位許容位置まで変位させられ、その後上記扉が上記閉位置に回動するまでの間に上記被支持部材が上記当接部を通過すると、上記第３付勢手段によって上記変位許容位置から上記変位阻止位置まで変位させられることを特徴とするゲーム機の施錠装置。
【請求項７】
ゲーム機の筐体とこの筐体に閉位置と開位置との間をほぼ水平方向へ回動可能に連結された扉との間に設けられたゲーム機の施錠装置であって、上記扉に設けられた係合部材と、上記筐体に、上記係合部材に係合したロック位置と、上記係合部材との係合が解除した解除位置との間を変位可能に設けられた鉤部材と、この鉤部材を上記解除位置から上記ロック位置に向かって付勢する付勢手段と、上記扉に設けられ、上記扉が上記閉位置に位置している閉時に開操作されると、上記鉤部材を上記付勢手段の付勢力に抗して上記ロック位置から上記解除位置まで変位させる錠前と、上記筐体に設けられた受け部材と、上記扉に設けられ、上記扉の閉時には上記受け部材によって支持される被支持部材とを備えたゲーム機の施錠装置において、
上記扉には、第１の位置と第２の位置との間を変位可能で、上記錠前の開操作によって上記第１の位置から上記第２の位置まで変位させられるストッパ、及びこのストッパを上記第２の位置から上記第１の位置に向かって付勢する第２付勢手段が設けられ、
上記ストッパは、上記扉が所定の位置を越えて閉回動すると、上記受け部材が上記ストッパに突き当たることにより上記第２付勢手段の付勢力に抗して上記第１の位置から上記第２の位置まで変位させられ、その後上記扉が上記閉位置に回動するまでの間に上記受け部材が上記ストッパを通過すると、上記第２付勢手段によって上記第２の位置から上記第１位置まで変位させられ、上記第１の位置に位置しているときに上記扉が上記閉位置から上記開位置に向かって開回動すると、上記受け部材に突き当たることによって上記扉の開回動を阻止することを特徴とするゲーム機の施錠装置。
【発明の詳細な説明】
【技術分野】
【０００１】
この発明は、パチンコ機やパチスロ機等のゲーム機の扉を閉位置に施錠する施錠装置に関する。
【背景技術】
【０００２】
一般に、パチスロ機等のゲーム機は、筐体と扉とを備えており、筐体及び扉の一側部どうしがヒンジを介して回動可能に設けられている。筐体及び扉の他側部間には、扉を閉位置に施錠する施錠装置が設けられている。
【０００３】
施錠装置は、下記特許文献１に記載されているように、筐体にロック位置と解除位置との間を移動可能に設けられた鉤部材と、扉に設けられた係合部材とを有している。鉤部材は、コイルばね等の付勢手段によって解除位置からロック位置に向かって付勢されており、扉が閉位置に回動すると係合部材に係合する。これによって、施錠装置が施錠状態になり、扉が閉位置に位置固定される。その一方、扉に設けられた錠前を開操作すると、鉤部材が付勢手段の付勢力に抗して解除位置に移動し、鉤部材と係合部材との係合が解除される。これによって、施錠装置が開錠状態になり、扉が閉位置から開回動可能になる。
【０００４】
施錠装置は、垂れ下がり防止機構を有している。垂れ下がり防止機構は、扉の他端部がそれ自体の重量で垂れ下がるのを防止するためのものであり、筐体の他側部に設けられたローラ受けと、扉の他側部に設けられた支持ローラとから構成されている。扉が閉位置に回動すると、支持ローラがローラ受け上に乗る。これにより、扉の他側部が支持ローラ及びローラ受けを介して筐体に支持され、扉の垂れ下がりが防止される。
【０００５】
【特許文献１】実用新案登録第３０４５５４２号公報
【発明の開示】
【発明が解決しようとする課題】
【０００６】
上記従来の施錠装置においては、垂れ下がり防止機構以外にも、扉が不正に開かれるのを防止するための不正操作防止機構、その他各種の機構が設けられている。各機構は、それぞれ専用に構成されている。このため、各機構を増やす毎に施錠装置の部品点数が増え、その結果構造が複雑になって製造費が高騰するという問題がある。そこで、本出願の発明者は、垂れ下がり防止機構を構成するローラ受け又は支持ローラを他の機構を構成する部材として兼用し、それによって施錠装置の部品点数を削減することに思い至った。
【課題を解決するための手段】
【０００７】
上記の問題を解決するために、この発明の第１の態様は、ゲーム機の筐体とこの筐体に閉位置と開位置との間をほぼ水平方向へ回動可能に連結された扉との間に設けられたゲーム機の施錠装置であって、上記扉に固定された係合部材と、上記筐体に、上記係合部材に係合したロック位置と、上記係合部材との係合が解除した解除位置との間を変位可能に設けられた鉤部材と、この鉤部材を上記解除位置から上記ロック位置に向かって付勢する付勢手段と、上記扉に設けられ、上記扉が上記閉位置に位置している閉時に開操作されると上記鉤部材を上記付勢手段の付勢力に抗して上記ロック位置から上記解除位置まで変位させる錠前と、上記筐体に設けられた受け部材と、上記扉に設けられ、上記扉の閉時には上記受け部材によって支持される被支持部材とを備えたゲーム機の施錠装置において、上記筐体には、第１の位置と第２の位置との間を変位可能で、上記扉の閉時に上記錠前が開操作されると、その開操作に伴って上記第１の位置から上記第２の位置まで変位させられるストッパ、及びこのストッパを上記第２の位置から上記第１の位置に向かって付勢する第２付勢手段が設けられ、上記ストッパは、上記扉が所定の位置を越えて閉回動すると、上記被支持部材が上記ストッパに突き当たることにより上記第２付勢手段の付勢力に抗して上記第１の位置から上記第２の位置まで変位させられ、その後上記扉が上記閉位置に回動するまでの間に上記被支持部材が上記ストッパを通過すると、上記第２付勢手段によって上記第２の位置から上記第１位置まで変位させられ、上記第１の位置に位置しているときに上記扉が上記閉位置から上記開位置に向かって開回動すると、上記被支持部材が上記ストッパに突き当たることによって上記扉の開回動を阻止することを特徴としている。
この場合、上記ストッパが上記鉤部材と一体に変位するように上記鉤部材に設けられ、上記鉤部材の上記ロック位置及び上記解除位置がそれぞれ上記ストッパの上記第１の位置及び上記第２の位置とされ、上記付勢手段が上記第２付勢手段として兼用されていることが望ましい。
また、上記筐体には、係止部材が、上記鉤部材の上記ロック位置から解除位置への変位を阻止する変位阻止位置と、上記鉤部材の上記ロック位置から上記解除位置への変位を許容する変位許容位置との間を変位可能に設けられるとともに、この係止部材を上記変位許容位置から上記変位阻止位置に向かって付勢する第３付勢手段が設けられ、上記係止部材には、上記扉が所定の位置を越えて閉回動すると、上記被支持部材が突き当たる当接部が設けられ、上記係止部材は、上記扉の閉時に上記錠前が開操作されると、その開操作に伴って上記変位阻止位置から上記変位許容位置まで変位させられ、上記扉が所定の位置を越えて閉回動すると、上記被支持部材が上記当接部に突き当たることにより、上記第３付勢手段の付勢力に抗して上記変位阻止位置から上記変位許容位置まで変位させられ、その後上記扉が上記閉位置に回動するまでの間に上記被支持部材が上記当接部を通過すると、上記第３付勢手段によって上記変位許容位置から上記変位阻止位置まで変位させられることが望ましい。特に、上記ストッパが上記係止部材と一体に変位するように上記係止部材に設けられ、上記ストッパに上記当接部が設けられ、上記係止部材の上記変位阻止位置及び上記変位許容位置がそれぞれ上記ストッパの上記第１、第２の位置とされ、上記第３付勢手段が上記第２付勢手段として兼用されていることが望ましい。
上記の問題を解決するために、この発明の第２の態様は、ゲーム機の筐体とこの筐体に閉位置と開位置との間をほぼ水平方向へ回動可能に連結された扉との間に設けられたゲーム機の施錠装置であって、上記扉に設けられた係合部材と、上記筐体に、上記係合部材に係合したロック位置と、上記係合部材との係合が解除した解除位置との間を変位可能に設けられた鉤部材と、この鉤部材を上記解除位置から上記ロック位置に向かって付勢する付勢手段と、上記扉に設けられ、上記扉が上記閉位置に位置している閉時に開操作されると上記鉤部材を上記付勢手段の付勢力に抗して上記ロック位置から上記解除位置まで変位させる錠前と、上記筐体に設けられた受け部材と、上記扉に設けられ、上記扉の閉時には上記受け部材によって支持される被支持部材とを備えたゲーム機の施錠装置において、上記鉤部材には、上記扉が所定の位置を越えて閉回動すると、上記被支持部材が突き当たる被係合部が設けられ、上記鉤部材は、上記扉が上記所定の位置を越えて閉回動すると、上記被支持部材が上記被係合部に突き当たることにより上記付勢手段の付勢力に抗して上記ロック位置から上記解除位置まで変位させられ、その後上記扉が上記閉位置に回動するまでの間に上記被支持部材が上記被係合部を通過すると、上記付勢手段によって上記解除位置から上記ロック位置まで変位させられることを特徴としている。
上記の問題を解決するために、この発明の第３の態様は、ゲーム機の筐体とこの筐体に閉位置と開位置との間をほぼ水平方向へ回動可能に連結された扉との間に設けられたゲーム機の施錠装置であって、上記扉に設けられた係合部材と、上記筐体に、上記係合部材に係合したロック位置と、上記係合部材との係合が解除した解除位置との間を変位可能に設けられた鉤部材と、この鉤部材を上記解除位置から上記ロック位置に向かって付勢する付勢手段と、上記扉に設けられ、上記扉が上記閉位置に位置している閉時に開操作されると上記鉤部材を上記付勢手段の付勢力に抗して上記ロック位置から上記解除位置まで変位させる錠前と、上記筐体に設けられた受け部材と、上記扉に設けられ、上記扉の閉時には上記受け部材によって支持される被支持部材とを備えたゲーム機の施錠装置において、上記筐体には、係止部材が、上記鉤部材の上記ロック位置から解除位置への変位を阻止する変位阻止位置と、上記鉤部材の上記ロック位置から上記解除位置への変位を許容する変位許容位置との間を変位可能に設けられるとともに、この係止部材を上記変位許容位置から上記変位阻止位置に向かって付勢する第３付勢手段が設けられ、上記係止部材には、上記扉が所定の位置を越えて閉回動すると、上記被支持部材が突き当たる当接部が設けられ、上記係止部材は、上記扉の閉時に上記錠前が開操作されると、その開操作に伴って上記変位阻止位置から上記変位許容位置まで変位させられ、上記扉が所定の位置を越えて閉回動すると、上記被支持部材が上記当接部に突き当たることにより、上記第３付勢手段の付勢力に抗して上記変位阻止位置から上記変位許容位置まで変位させられ、その後上記扉が上記閉位置に回動するまでの間に上記被支持部材が上記当接部を通過すると、上記第３付勢手段によって上記変位許容位置から上記変位阻止位置まで変位させられることを特徴としている。
上記の問題を解決するために、この発明の第４の態様は、ゲーム機の筐体とこの筐体に閉位置と開位置との間をほぼ水平方向へ回動可能に連結された扉との間に設けられたゲーム機の施錠装置であって、上記扉に設けられた係合部材と、上記筐体に、上記係合部材に係合したロック位置と、上記係合部材との係合が解除した解除位置との間を変位可能に設けられた鉤部材と、この鉤部材を上記解除位置から上記ロック位置に向かって付勢する付勢手段と、上記扉に設けられ、上記扉が上記閉位置に位置している閉時に開操作されると上記鉤部材を上記付勢手段の付勢力に抗して上記ロック位置から上記解除位置まで変位させる錠前と、上記筐体に設けられた受け部材と、上記扉に設けられ、上記扉の閉時には上記受け部材によって支持される被支持部材とを備えたゲーム機の施錠装置において、上記扉には、第１の位置と第２の位置との間を変位可能で、上記錠前の開操作によって上記第１の位置から上記第２の位置まで変位させられるストッパ、及びこのストッパを上記第２の位置から上記第１の位置に向かって付勢する第２付勢手段が設けられ、上記ストッパは、上記扉が所定の位置を越えて閉回動すると、上記受け部材が上記ストッパに突き当たることにより上記第２付勢手段の付勢力に抗して上記第１の位置から上記第２の位置まで変位させられ、その後上記扉が上記閉位置に回動するまでの間に上記受け部材が上記ストッパを通過すると、上記第２付勢手段によって上記第２の位置から上記第１位置まで変位させられ、上記第１の位置に位置しているときに上記扉が上記閉位置から上記開位置に向かって開回動すると、上記受け部材に突き当たることによって上記扉の開回動を阻止することを特徴としている。
【発明の効果】
【０００８】
上記特徴構成を有するこの発明によれば、垂れ下がり防止機構を構成する受け部材と被支持部材との一方が、扉の付勢な開回動を阻止する不正開操作防止機構の一部の構成部材として兼用され（態様１、４）、鉤部材の駆動用の部材として兼用され（態様２）、あるいは係止部材の移動用として兼用されている（態様３）いる。したがって、施錠装置の構成部品点数を減らして構造を簡略化することができ、それによって施錠装置の製造費を低減することができる。
【発明を実施するための最良の形態】
【０００９】
以下、この発明を実施するための最良の形態を、図面を参照して説明する。
図１及び図２は、この発明の第１実施の形態たる施錠装置４が用いられたパチスロ機（ゲーム機）１を示す。このパチスロ機１は、前面部が開口した略直方体の箱状をなす筐体２と、この筐体２の前面開口部を開閉する扉３とを備えている。扉３の一側部（図１において左側部）は、筐体２の一側部にスライドヒンジ（図示せず）を介してほぼ水平方向へ回動可能に連結されている。扉３は、その背面３ａが筐体２の前面２ａにほぼ突き当たった図３に示す閉位置と、閉位置から９０°〜１１０°程度離間した開位置との間を回動可能になっている。
【００１０】
図１〜図３に示すように、筐体２及び扉３の他側部間には、この発明に係る施錠装置４が設けられている。施錠装置４は、筐体２の他側部内面２ｂに設けられた筐体側ユニット５と、扉３の他側部内面３ｂに設けられた扉側ユニット６とを有している。
【００１１】
図１〜図５に示すように、筐体側ユニット５は、金属製の筐体側取付プレート１１を有している。この取付プレート１１は、その長手方向をほぼ上下方向に向け、かつ幅方向を筐体２の前後方向に向けて配置されており、筐体２の他側部内面２ｂの前端部に沿って固定されている。筐体２の他側部内面２ｂの前端部と取付プレート１１との間には、筐体２の他側部内面２ｂの前端部に切欠き部が形成されることにより、取付プレート１１に沿って延びる収容空間Ｓが設けられている。取付プレート１１の一側部（図３において下側部）は、筐体２の前面２ａから扉３側に向かって突出させられている。
【００１２】
図１〜図３、図６及び図７に示すように、扉側ユニット６は、扉側取付プレート１２を有している。この取付プレート１２は、金属製の板材を折り曲げることによって断面略「コ」字状に形成されている。取付プレート１２は、その長手方向をほぼ上下方向に向けるとともに、開放部を筐体２側に向けた状態で配置されており、扉３の他側部内面の前端部に沿って固定されている。図３に示すように、扉３を閉位置に回動させると、取付プレート１１の一側部が取付プレート１２内に入り込む。これにより、筐体２の前面２ａと扉３の背面３ａとの間から針金等を差し込むことが防止され、ひいては扉３が不正に開回動されることが防止されている。
【００１３】
図４及び図５に示すように、筐体側ユニット５は、上鉤部材（鉤部材）１３及び下鉤部材（鉤部材）１４を有している。上鉤部材１３及び下鉤部材１４は、いずれも金属製の板材からなるものであり、その長手方向を取付プレート１２の長手方向と同方向に向けた状態で同方向へ移動可能に配置されている。上鉤部材１３の上側の大部分は、収容空間Ｓ内にその長手方向（上下方向）へ移動可能に収容されている。上鉤部材１３の下端部は、取付プレート１１に形成された切欠き部１１ａから筐体２の一側部側に突出させられており、取付プレート１１の前面（筐体２の一側部側を向く面）に沿って配置されている。下鉤部材１４の下側の大部分は、収容空間Ｓ内に上下方向へ移動可能に収容されている。下鉤部材１４の上端部は、取付プレート１１に形成された切欠き部１１ｂから筐体２の一側部側に突出させられており、上鉤部材１３の下端部と左右方向に対向している。
【００１４】
上鉤部材１３の下端部には、上下方向に延びるガイド孔１３ａが形成されている。このガイド孔１３ａには、取付プレート１１に固定されたガイド軸１５が上下方向へ移動可能に挿入されている。このガイド軸１５がガイド孔１３ａの上下の端部に突き当たることにより、上鉤部材１３の上下方向への可動範囲が制限されている。
【００１５】
ガイド軸１５には、連結部材１６の中央部が回動可能に設けられている。連結部材１６の一端部は、上鉤部材１３の下端部に軸１７を介して筐体２の前後方向（図５において左右方向）へ移動可能に、かつ上下方向へ移動不能に連結されている。連結部材１６の他端部は、下鉤部材１４の上端部に軸１８を介して筐体２の前後方向へ移動可能に、かつ上下方向へ移動不能に連結されている。したがって、上下の鉤部材１３，１４は、上下方向へ互いに逆向きに同一距離だけ同時に移動する。
【００１６】
上鉤部材１３の一側部の上端部には、上フック部１３ｂが形成されている。この上フック部１３ｂは、取付プレート１１の上端部に形成された切欠き部１１ｃを通って収容空間Ｓから扉３に向かって外部に突出している。上フック部１３ｂの上端面には、上係合凹部１３ｃが形成されている。下鉤部材１４の一側部の下端部には、下フック部１４ｂが形成されている。この下フック部１４ｂは、取付プレート１１の下端部に形成された切欠き部１１ｄを通って収容空間Ｓから扉３に向かって外部に突出している。下フック部１４ｂの下端面には、下係合凹部１４ｃが形成されている。
【００１７】
図６及び図７に示すように、扉側取付プレート１２の上端部には、上係合ローラ（係合部材）１９が軸２０を介して回動可能に設けられている。上係合ローラ１９は、扉３を閉位置に位置させた状態で上鉤部材１３をその下方への移動限界位置から上方へ移動させると、上係合凹部１３ｃに嵌り込むように配置されている。そして、上鉤部材１３がその上方への移動限界位置の若干手前の位置まで移動すると、上係合ローラ１９が上係合凹部１３ｃの下端部に突き当たる。このときの上鉤部材１３の位置がロック位置である。上鉤部材１３がロック位置から下方へ向かって下移動限界位置の若干手前の位置まで移動すると、上係合ローラ１９が上係合凹部１３ｃから相対的に上方へ脱出する。このときの上鉤部材１３の位置が解除位置である。
【００１８】
扉側取付プレート１２の下端部には、下係合ローラ（係合部材）２１が軸２２を介して回動可能に設けられている。下係合ローラ２１は、扉３を閉位置に位置させた状態で下鉤部材１４をその上方への移動限界位置から下方へ移動させると、下係合凹部１４ｃに嵌り込むように配置されている。下係合ローラ２１と下係合凹部１４ｃとの関係は、上下が逆になった点を除き、上係合ローラ１９と上係合凹部１３ｃとの関係と同様である。そこで、下係合ローラ２１と下係合凹部１４ｃとの関係についてはその説明を省略する。
【００１９】
上下の係合ローラ１９，２１の外径は、上下の係合凹部１３ｃ、１４ｃの溝幅とほぼ同一に設定されている。したがって、上下の鉤部材１３，１４がロック位置に移動して係合ローラ１９，２１が係合凹部１３ｃ，１４ｃにそれぞれ嵌り込むと、扉３がほとんどガタなく閉位置に維持される。
【００２０】
筐体側取付プレート１１と下鉤部材１４との間には、コイルばね（付勢手段；第２付勢手段）２５が設けられている。このコイルばね２５により、下鉤部材１４が常時下方に付勢されている。この結果、上鉤部材１３が下鉤部材１４及び連結部材１６を介して常時上方に付勢されている。したがって、下鉤部材１４及び上鉤部材１３は、故障の場合や不正操作された場合以外の通常時は、扉３が閉位置に位置している閉時に次に述べるシリンダ錠２４が開操作されない限りロック位置に位置している。
【００２１】
図６及び図７に示すように、扉側取付プレート１２の上下方向における中間部には、支持板２３が位置調節可能に設けられている。この支持板２３には、扉３の閉時に筐体２及び扉の外部から操作可能なシリンダ錠（錠前）２４が設けられている。このシリンダ錠２４を鍵（図示せず）によって中立位置から開位置まで開操作すると、下鉤部材１４がコイルばね２５の付勢力に抗してロック位置から解除位置まで上方へ移動する。勿論、下鉤部材１４の上方への移動に連動して上鉤部材１３がロック位置から解除位置まで下方へ移動する。なお、鍵を開位置において自由に回動することができる状態にすると、コイルばね２５の付勢力によって上下の鉤部材１３，１４がロック位置まで移動させられるとともに、鍵が中立位置まで戻される。
【００２２】
上下の鉤部材１３，１４をシリンダ錠２４によって解除位置側へ移動させるための構造を述べると、図６及び図７に示すように、シリンダ錠２４のシリンダ軸２４ａには、略「く」字状をなす操作板２６が固定されている。操作板２６は、シリンダ錠２４を開操作すると、図７において反時計方向へ回動する。
【００２３】
支持板２３には、開動作部材２７、リセット部材２８及び係止解除部材２９が軸３０によって上下方向へ所定範囲移動可能に連結されている。開動作部材２７は、軸３０に対して所定範囲上下方向へ移動可能である。一方、リセット部材２８及び係止解除部材２９は、軸３０によって互いに移動不能に連結されている。したがって、リセット部材２８及び係止解除部材２９は、支持板２３及び開動作部材２７に対して上下方向へ一体に移動する。係止解除部材２９は、軸３０を中心として回動可能である。
【００２４】
開動作部材２７とリセット部材２８との間には、コイルばね３１が設けられている。このコイルばね３１によって開動作部材２７が下方へ付勢される一方、リセット部材２８が上方へ付勢されている。シリンダ錠２４が中立位置に位置しているときには、開動作部材２７が、軸３０、支持板２３に形成された長孔２３ａ及び開動作部材２７に形成された長孔２７ａによって規制される下限界位置に位置させられ、リセット部材２８及び係止解除部材２９が、軸３０及び長孔２３ａによって規制される上限界位置に位置させられている。
【００２５】
いま、扉３が閉位置に位置するとともに、上下の鉤部材１３，１４がロック位置に位置しているものとする。この状態において、シリンダ錠２４を開操作して操作板２６を図７の反時計方向へ回動させると、操作板２６の下端部が開動作部材２７に係合してこれをコイルばね３１の付勢力に抗して上方へ移動させる。すると、開動作部材２７の突起２７ｂが下鉤部材１４に突き当たってこれをコイルばね２５の付勢力に抗して上方へ移動させる。下鉤部材１４は、シリンダ錠２４が開位置まで開操作されると、解除位置まで移動する。勿論、下鉤部材１４の解除位置への移動に連動して上鉤部材１３がロック位置から解除位置まで下方へ移動し、上下の係合ローラ１９，２１が上下の係合凹部１３ｃ、１４ｃから脱出する。この結果、扉３が閉位置から開回動可能になる。
【００２６】
扉３が閉位置から所定の角度以上開回動させられると、そのことを筐体２に設けられたセンサ（図示せず）が検出する。その検出信号に基づいてゲーム機１のゲームが中断される。中断されたゲームを再開する場合には、扉３を閉位置に回動させた後、シリンダ錠２４に鍵を差し込んで中立位置からリセット位置までリセット操作（開操作時と逆方向への回動操作）すればよい。シリンダ錠２４をリセット操作すると、操作板２６が図７において時計方向に回動し、リセット部材２８を下方へ移動させる。すると、リセット部材２８のリセット片２８ａが、支持板２３に設けられたリセットスイッチ３２（図８〜図１２、図１８〜図２０参照）をＯＮ状態に切り換える。これによって、ゲームが再開される。
【００２７】
扉３を開位置から閉位置まで回動させた場合には、後述するように、上下の鉤部材１３，１４が自動的にロック位置から解除位置に移動させられ、その後再びロック位置に移動させられる。それによって、上下の鉤部材１３，１４が上下の係合ローラ１９，２１に突き当たることなく係合ローラ１９，２１とそれぞれ係合する。
【００２８】
ところが、扉３を閉位置まで回動させたにも拘わらず、上下の鉤部材１３，１４が解除位置とロック位置との間において停止してしまうような事故が発生することがある。そのような状態でゲームを再開すると、鉤部材１３，１４と係合ローラ１９，２１とが正しく係合していないので、扉３が開かれてゲーム機１に不正が行われるおそれがある。このような不具合を防止するために、この施錠装置では、リセット部材２８に突出部２８ｂが形成されている。この突出部２８ｂは、扉３が閉位置に位置した状態においてシリンダ錠２４をリセット操作したとき、下鉤部材１４が解除位置とロック位置との間に位置していると、下鉤部材１４に突き当たってロック位置まで移動させる。したがって、リセットが完了したときには、鉤部材１３，１４と係合ローラ１９，２１とを確実に係合させることができる。換言すれば、鉤部材１３，１４と係合ローラ１９，２１とが正しく係合していない限り、リセット部材２８が下方へ移動することができず、リセットスイッチ３２をＯＮ状態に切り換えることができない。したがって、鉤部材１３，１４が係合ローラ１９，２１に係合しない状態でゲームが再開されることがない。よって、不正が行われることを確実に防止することができる。
【００２９】
また、この施錠装置においては、上下の鉤部材１３，１４がロック位置から解除位置まで不正に移動させられ、それによって扉３が閉位置から不正に開かれることを防止するために、図４及び図５に示すように、係止部材３３が用いられている。図５（Ｂ）に示すように、係止部材３３には、筐体２の奥側へ向かうにしたがって下方へ向かうように傾斜する一対のガイド孔３３ａ，３３ａが形成されている。下側のガイド孔３３ａには、上記軸１５がガイド孔３３ａの長手方向へ相対移動可能に挿入されている。上側のガイド孔３３ａには、筐体側取付プレート１１に固定された軸３４がガイド孔３３ａの長手方向へ相対移動可能に挿入されている。これにより、係止部材３３が取付プレート１１に対しガイド孔３３ａの長手方向へのみ移動可能になっている。係止部材３３は、それと筐体側取付プレート１１との間に設けられたコイルばね（第３付勢手段）３５によりガイド孔３３ａの長手方向に沿って斜め上方へ付勢されている。そして、軸１５，３４が各ガイド孔３３ａの下端部に突き当てられている。それによって、係止部材３３の上方への移動が阻止されている。このときの係止部材３３の位置が変位阻止位置である。
【００３０】
係止部材３３には、軸３６が固定されている。この軸３６は、図１３及び図１４に示すように、下鉤部材１４に形成された孔１４ｄに移動可能に挿入されている。この孔１４ｄの下側の内面は、水平な係止面１４ｅになっている。この係止面１４ｅは、軸１５，３４が各ガイド孔３３ａの下端部に突き当たった状態、つまり係止部材３３が変位阻止位置に位置した状態において、下鉤部材１４がロック位置から不正に上方へ移動させられると、下鉤部材１４が解除位置に達する前に軸３６に突き当たるように配置されている。係止面１４ｅが軸３６に突き当たると、下鉤部材１４がそれ以上解除位置側へ移動することができなくなる。これにより、上下の鉤部材１３，１４がロック位置から解除位置まで不正に移動させられることが防止され、ひいては鉤部材１３，１４と係合ローラ１９，２１との係合が不正に解除されることが防止されている。
【００３１】
鉤部材１３，１４と係合ローラ１９，２１との係合をシリンダ錠２４によって正規に解除する場合には、係止部材３３が下鉤部材１４の解除位置側への移動を邪魔してはならない。そのためには、軸３６が係止面１４ｅに突き当たらないようにするのみならず、下鉤部材１４の解除位置側への移動に伴って軸３６が下鉤部材１４に対して相対的に下方へ移動することができるようにする必要がある。
【００３２】
そこで、下鉤部材１４には、上下に延びる長孔１４ｆが形成されている。この長孔１４ｆの上端部は、孔１４ｄの奥側の下端部に開放されている。しかも、長孔１４ｆは、軸１５，３４が各ガイド孔３３ａの下端部に突き当たる下限界位置の直前の位置（変位許容位置）まで係止部材３３がコイルばね３５の付勢力に抗して後斜め下方へ移動すると、軸３６が長孔１４ｆの上端開口部と対向するように配置されている。長孔１４ｆの幅は、軸３６の外径とほぼ同一に設定されており、軸３６は長孔１４ｆ内にその上端開放部（孔１４ｄとの連通部）から進入可能である。したがって、係止部材３３が変位許容位置に移動した状態において下鉤部材１４が上方へ移動すると、軸３６が長孔１４ｆ内に入り込む。よって、下鉤部材１４は解除位置まで移動することができる。
【００３３】
シリンダ錠２４の開操作に伴って係止部材３３を変位許容位置まで移動させるために、扉側ユニット６には、前述した係止解除部材２９が設けられている。すなわち、扉３が閉位置に位置し、上下の鉤部材１３，１４がロック位置に位置し、さらに係止部材３３が変位阻止位置に位置している状態において、シリンダ錠２４を開操作すると、係止解除部材２９が操作板２６によって図７の時計方向（図５においては反時計方向）へ回動させられ、係止部材３３に突き当たる。そして、係止解除部材２９は、シリンダ錠２４の開操作に伴って係止部材３３をガイド孔３３ａに沿って斜め下方へ移動させる。シリンダ錠２４が中立位置と開位置との間の所定の中間位置まで開操作されると、係止部材３３が変位許容位置まで移動させられる。係止部材３３の変位許容位置への移動は、軸３６が係止面１４ｅに突き当たる前に、つまり下鉤部材１４が係止部材３３によって解除位置側への移動が阻止される前に実行される。その後、係止部材３３は、シリンダ錠２４の開位置までの開操作に拘わらず変位許容位置に維持される。その一方、シリンダ錠２４を上記中間位置から開位置まで開操作すると、下鉤部材１４が解除位置まで移動する。勿論、このときには軸３６が長孔１４ｆ内に入り込んでいる。
【００３４】
シリンダ錠２４の中間位置からの開操作に拘わらず係止部材３３を変位許容位置に維持することは、例えば次の二つの機構のいずれかを採用することによってなし得る。第１の機構は、係止解除部材２９の係止部材３３に突き当たる箇所にカム面を形成するものである。カム面は、シリンダ錠２４が中立位置から中間位置まで開操作されることに対応して、係止部材３３を変位阻止位置から変位許容位置まで移動させる。しかし、シリンダ錠２４が中間位置から開位置まで開操作される間は、係止部材３３を移動させることがなく、変位許容位置に維持するものである。なお、この機構の場合には、シリンダ錠２４の中立位置と開位置との間における開閉操作中、係止解除部材２９が操作板２６によって常時回動させられる。第２の機構は、シリンダ錠２４が中立位置から中間位置まで開操作される間は、操作板２６が係止解除部材２９を回動させ、それによって係止部材３３を変位阻止位置から変位許容位置まで移動させるが、シリンダ錠２４が中間位置を越えて開位置側へ開操作されるときには、操作板２６が係止解除部材２９を回動させることなく、一定の回動位置に維持するというものである。なお、この場合には、シリンダ錠を開位置から中立位置まで閉操作すると、係止解除部材２９が係止部材３３によって元の初期位置まで戻される。
【００３５】
上下の鉤部材１３，１４が解除位置に位置した状態において、シリンダ錠２４の鍵を自由に回動することができるように開放すると、開動作部材２７がコイルばね３１によって下限界位置まで移動させられる。また、上下の鉤部材１３，１４がコイルばね２５によって解除位置からロック位置まで戻される。鉤部材１３，１４がロック位置に移動すると、軸３６が長孔１４ｆの上端部に移動して孔１４ｄに入り込む。その結果、係止部材３３が長孔３３ａに沿って斜め上方へ移動可能になり、コイルばね３５によって変位阻止位置まで移動させられる。
【００３６】
図４及び図５に示すように、筐体側取付プレート１１には、受け部材３７が固定されている。この受け部材３７は、筐体２の前後方向に延びる水平な支持部３７ａを有している。一方、扉側取付プレート１２の支持板２３には、支持ローラ（被支持部材）３８が回転可能に設けられている。この支持ローラ３８は、その下面が支持部３７ａの上面と同一水平面上に位置するように配置されている。しかも、支持ローラ３８は、扉３が閉位置とこの閉位置に対して所定距離だけ手前の位置との間に位置しているときに支持部３７ａ上に乗り上げるように配置されている。したがって、扉３を閉位置に回動させると、図１２に示すように、支持ローラ３８が支持部３７ａ上に乗り、扉３の他側部が支持ローラ３８及び受け部材３７を介して筐体２の他側部によって支持される。これにより、扉３の他側部の垂れ下がりが防止されている。
【００３７】
支持ローラ３８は、扉３の他端部の垂れ下がりを防止するのみならず、扉３を開位置側から閉位置へ回動させるときに、上下の鉤部材１３，１４をロック位置から解除位置まで移動させるための動作部材として兼用されるとともに、扉３が閉位置から不正に開回動されるのを防止するための不正操作防止機構を構成する部材として兼用されている。
【００３８】
すなわち、図４、図５、図１３及び図１４に示すように、係止部材３３の上端部には、筐体２の手前側から奥側へ向かうにしたがって上り勾配をなす傾斜板部（当接部）３３ｂ、及びこの傾斜板部３３ｂの上端部から筐体２の奥側へ向かって水平に延びる水平部３３ｃが設けられている。傾斜板部３３ｂは、図８及び図９に示すように、扉３が閉位置に対して所定の距離だけ手前の位置まで閉回動すると、支持ローラ３８が変位阻止位置に位置している係止部材３３の傾斜板部３３ｂの中間部に突き当たるように配置されている。支持ローラ３８が傾斜板部３３ｂに突き当たった状態において、扉３がさらに閉回動すると、支持ローラ３８が傾斜板部３３ｂを介して係止部材３３を押し、長孔３３ａの長手方向に沿って後斜め下方へ移動させる。支持ローラ３８が傾斜板部３３ｂの奥側の端部、つまり傾斜板部３３ｂと水平部３３ｃとの交差部に達したとき、係止部材３３が変位許容位置に移動しており、支持ローラ３８が当該交差部を越えて水平部３３ｃ上に乗っているときには、係止部３３は変位許容位置に維持される。したがって、支持ローラ３８が水平部３３ｃに乗っているときには、軸３６が長孔１４ｆに入り込み可能になっている。なお、支持ローラ３８が水平部３３ｃ上に乗っているときには、水平部３３ｃが支持部３７ａと同一水平面上に位置するのみならず、筐体２の前後方向において支持部３７ａの前端部と接するように位置している。したがって、扉３をさらに閉回動させると、支持ローラ３８が水平部３３ｃから支持部３７ａ上に円滑に乗り移る。
【００３９】
下鉤部材１４の上端部には、筐体２の手前側から奥側へ向かって下り勾配をなす傾斜板部（ストッパ；被係合部）１４ｇが形成されている。この傾斜板部１４ｇは、図１０に示すように、支持ローラ３８が水平部３３ｃに乗り移ると、これとほぼ同時に支持ローら３８がロック位置に位置している下鉤部材１４の傾斜板部１４ｇの下面に突き当たるように配置されている。支持ローラ３８が傾斜板部１４ｇに突き当たった状態において、扉３が閉回動すると、下鉤部材１４が支持ローラ３８により解除位置へ向かって上方へ押される。このとき、係止部材３３が対向位置に位置させられているので、軸３６が長孔１４ｆに入り込むことにより、下鉤部材１４が解除位置側へ移動することができる。支持ローラ３８が傾斜板部１４ｇの先端部（筐体２の奥側の端部）に達するまで扉３が閉回動すると、上下の鉤部材１３，１４が解除位置に達し、上フック部１３ｂの上面及び下フック部１４ｂの下面が上下の係合ローラ１９，２１とそれぞれ対向する。扉３がさらに閉回動すると、支持ローラ３８が傾斜板部１４ｇから筐体２の奥側へ離間する。これとほぼ同時に支持ローラ３８が水平部３３ｃから支持部３７ａに乗り移る。
【００４０】
支持ローラ３８が傾斜板部１４ｇから筐体２の奥側へ離間すると、上下の鉤部材１３，１４がコイルばね２５によってロック位置へ向かって移動させられる。しかし、上下の鉤部材１３，１４がロック位置側へ移動しようとすると、上下のフック部１３ｂ，１４ｂが上下の係合ローラ１９，２１に直ちに突き当たる。したがって、上下の鉤部材１３，１４は、ほとんど移動することがない。
【００４１】
支持ローラ３８が水平部３３ｃから支持部３７ａ上に乗り移ると、支持ローラ３８が係止部材３３の上方への移動を阻止することがなくなる。しかし、このときには、図１４に示すように、軸３６が長孔１４ｆに入り込んでいるので、係止部材３３は上下方向へしか移動することができない。一方、係止部材３３は、軸１５，３４と長孔３３ａとによって斜め方向への移動しか許容されていない。したがって、支持ローラ３８が水平部３３ｃから支持部３７ａに乗り移っても係止部材３３は、変位阻止位置側へ移動することがなく、下鉤部材１４によって変位許容位置に維持される。
【００４２】
扉３がさらに閉回動すると、係合ローラ１９，２１がフック部１３ｂ、１４ｂ上を転動する。そして、扉３が閉位置に達すると、係合ローラ１９，２１が係合凹部１３ｃ、１４ｃとそれぞれ対向する。すると、上下の鉤部材１３，１４がコイルばね２５によってロック位置側へ移動させられ、係合ローラ１９，２１が係合凹部１３ｃ、１４ｃに入り込む。そして、上下の鉤部材１３，１４がロック位置まで移動し、係合ローラ１９，２１が係合凹部１３ｃ、１４ｃにその底部に突き当たるまで入り込む。これにより、扉３が閉位置に維持される。
【００４３】
上下の鉤部材１３，１４がロック位置に移動すると、軸３６が長孔１４ｆから脱出して孔１４ｄに入り込む。その結果、係止部材３３が斜め方向へ移動可能になり、コイルばね３５により長孔３３ａの長手方向に沿って斜め上方へ移動させられる。係止部材３３は、変位阻止位置まで移動して停止する。
【００４４】
支持ローラ３８は、傾斜板部１４ｇと協働して扉３が不正に開回動されることを阻止する。例えば、係合ローラ１９，２１をそれぞれ支持する軸２０，２２が切断されたような場合には、係合ローラ１９，２１とフック部１３ｂ，１４ｂとの係合が機能しなくなるため、鉤部材１３，１４をロック位置から解除位置まで移動させなくても扉３が閉位置から開回動可能になる。しかるに、この施錠装置４では、図１５に示すように、上下の鉤部材１３，１４がロック位置に位置している状態において、扉３が閉位置から所定の大きさの角度（例えば２、３°程度）だけ開回動すると、支持ローラ３８の外周面が筐体２の奥側における傾斜板部１４ｇの端部に形成された突き当たり部１４ｈに突き当たる。これにより、支持ローラ３８が筐体２の前方側への移動が阻止され、ひいては扉３の開回動が阻止される。したがって、扉３が不正に開回動されることがない。
【００４５】
支持ローラ３８は、突き当たり部１４ｈに突き当たらせることなく、傾斜板部１４ｇの上面に突き当たらせてもよい。支持ローラ３８が傾斜板部１４ｇの上面に突き当たると、支持ローラ３８は下鉤部材１４を下方へ移動させようとする。このとき、下鉤部材１４がロック位置に位置しており、下方へ移動することができない。したがって、支持ローラ３８は、傾斜板部１４ｇの上面に突き当たるとそれ以上筐体２の前方側へ移動することができなくなり、扉３の不正な開回動が阻止される。
【００４６】
なお、扉３を正規に閉位置から開回動させる場合には、扉３を開回動させる前に、上下の鉤部材１３，１４がシリンダ錠２４によってロック位置から解除位置まで移動させられている。図１７に示すように、下鉤部材１４が解除位置に位置しているときには、突き当たり部１４ｈを含む傾斜板部１４ｇ全体が支持ローラ３８より上方に位置している。したがって、扉３を正規に開回動させる場合には、支持ローラ３８が突き当たり部１４ｈに突き当たることがない。
【００４７】
上記構成の施錠装置４を備えたパチスロ機１の扉３の開閉動作をまとめて説明する。いま、扉３が開位置に位置しているものとする。このときには、鉤部材１３，１４がロック位置に位置し、係止部材３３が変位阻止位置に位置している。扉３を開位置から図８に示す位置を経て閉位置から所定の距離だけ手前の位置まで閉回動させると、図９に示すように、支持ローラ３８が係止部材３３の傾斜板部３３ｂに突き当たる。その後、扉３を閉位置に向かってさらに閉回動させると、支持ローラ３８が係止部材３３を図１０に示す変位許容位置まで移動させる。これとほぼ同時に、支持ローラ３８が下鉤部材１４の傾斜板部１４ｇの下面に突き当たる。したがって、扉３をさらに閉回動させると、支持ローラ３８が扉３の閉回動に伴って上下の鉤部材１３，１４をロック位置から解除位置側へ移動させる（図１１参照）。その後、扉３を閉位置まで回動させると、支持ローラ３８が傾斜板部１４ｇから筐体２の奥側に離間する結果、図１２に示すように、上下の鉤部材１３，１４がコイルばね２５によってロック位置まで移動させられる。すると、係合ローラ１９，２１が係合凹部１３ｃ、１４ｃにそれぞれ入り込む。これによって、扉３が閉位置に維持される。上下の鉤部材１３，１４がロック位置に移動させられた後、係止部材３３がコイルばね３５によって変位阻止位置まで移動させられる。扉３が閉位置に位置しているときには、支持ローラ３８が受け部材３７によって支持されている。これにより、扉３の他側部の垂れ下がりが防止されている。なお、扉３を閉位置まで回動操作した後、シリンダ錠２４をリセット操作すると、中断していたゲームが再開される。
【００４８】
閉位置に位置している扉３を開く場合には、シリンダ錠２４を開位置まで開操作する。すると、図１５〜図１７に示すように、係止部材３３が係止解除部材２９によって変位阻止位置から変位許容位置まで移動させられるとともに、上下の鉤部材１３，１４がロック位置から解除位置まで移動させられる。その状態を維持しつつ扉３を開回動させることによって扉３を開くことができる。
【００４９】
ここで、下鉤部材１４が筐体２に設けられ、かつ開動作部材２７が扉３に設けられているため、扉３が閉位置から所定の角度だけ開回動すると、開動作部材２７が下鉤部材１４から離間する。この結果、シリンダ錠２５を開位置に維持したとしても、上下の鉤部材１３，１４が解除位置からロック位置側へ移動可能になる。しかし、このときには係合ローラ１９，２１がフック部１３ｂ、１４ｂの係合凹部１３ｃ，１４ｃより扉３側に位置する上下の面にそれぞれ対向している。したがって、開動作部材２７が下鉤部材１４から離間しても、係合ローラ１９，２１が係合凹部１３ｃ，１４ｃに再度入り込むことはない。扉３がさらに開回動すると、係合ローラ１９，２１がフック部１３ｂ、１４ｂから扉３側に離間する。すると、上下の鉤部材１３，１４がコイルばね２５によってロック位置まで移動させられる。その後、係止部材３３がコイルばね３５によって変位阻止位置まで移動させられる。なお、係合ローラ１９，２１が係合凹部１３ｃ、１４ｃに入り込むことができない位置まで扉３が閉位置から回動すると、ゲーム機１のゲームが中断される。
【００５０】
扉３が閉位置に位置している状態において、扉３を不正に開くために、シリンダ錠２４を用いることなく上下の鉤部材１３，１４をロック位置から解除位置まで移動させようとした場合には、係止面１４ｅが係止部材３３に固定された軸３６に突き当たる。これにより、下鉤部材１４がロック位置から所定の位置を越えて解除位置側へ移動することが阻止される。したがって、係合ローラ１９，２１が係合凹部１３ｃ，１４ｃに入り込んだ状態が維持され、扉３の不正な開操作が阻止される。
【００５１】
仮に、係合ローラ１９，２１と上下の鉤部材１３，１４との係合が何らかの手段によって解除されたとしても、扉３を閉位置から開くと、支持ローラ３８が下鉤部材１４の突き当たり部１４ｈに突き当たり、それ以上扉３が開くことを阻止する。これによって、扉３の不正開操作がより一層確実に阻止される。
【００５２】
このように、支持ローラ３８は、扉３の垂れ下がり防止機構の構成部材として用いられるのみならず、扉３の不正開動作を阻止する不正操作阻止機構の構成部材としても用いられている。したがって、扉３の不正操作阻止機構の支持ローラ３８に対応する構成部材を省くことができ、それによって施錠装置４の構造を簡単にしてその製造費を低減することができる。特に、この施錠装置４では、支持ローラ３８が上下の鉤部材１３，１４を鉤部材１３，１４をロック位置から解除位置まで移動させるための移動手段としても兼用され、さらに係止部材３３を変位阻止位置から変位許容位置まで移動させるための移動手段として兼用されているので、施錠装置４の構造をさらに簡単にしてその製造費をより一層低減することができる。
【００５３】
また、この施錠装置４では、係止部材３３とこれを変位許容位置まで移動させるための操作板２６との間に係止解除部材２９を介在させている。そのようにした場合には、係止部材３３と操作板２６とを直接係合させた場合に比して、係止部材３３の設置位置の自由度を広げることができ、係止部材３３が不正に操作されにくい位置に配置することができる。それによって、扉３の不正な開操作をより一層確実に防止することができる。
【００５４】
図２１及び図２２は、ストッパを係止部材３３に設けたこの発明の第２実施の形態を示す。この実施の形態においては、係止部材３３の水平部３３ｃが下鉤部材１４の傾斜板部１４ｇ（突き当たり部１４ｈ）より筐体２の奥側まで延びており、支持ローラ３８は、扉３の閉回動に伴って下鉤部材１４の傾斜板部１４ｇを通過した後、係止部材３３の水平部３３ｃを通過するようになっている。そして、扉３が閉位置に位置すると、支持ローラ３８が受け部材３７上に乗る。扉３を閉位置から所定の角度（例えば２〜３°）だけ開回動させると、支持ローラ３８が水平部３３の端面に突き当たる。これによって、扉の開回動が阻止される。この場合には、水平部３３ｃがストッパとして兼用されているので、係止部材３３の変位阻止位置及び変位許容位置がそれぞれストッパの第１、第２の位置になり、コイルばね３５が第２付勢手段として兼用されることになる。
【００５５】
この実施の形態においては、水平部３３ｃがストッパとして用いられているので、下鉤部材２４の傾斜板部１４ｇは、支持ローラ３８に突き当たることによって下鉤部材１４をロック位置から解除位置まで移動させるための被係合部としてだけ用いられており、扉３の閉回動時に支持ローラ３８に突き当たることはない。
【００５６】
図２３〜図２５は、この発明の第３実施の形態を示す。この実施の形態は、扉３の不正な開操作をさらに確実に防止するようにことができるようにしたものである。上記のように、閉じた扉３を開く場合には、係止部材３３が上限界位置から対向位置まで移動させられる。したがって、係止部材３３が不正に対向位置まで移動させられないようにすれば、それだけ扉３が不正に開操作される可能性を低くすることができる。そこで、この実施の形態においては、受け部材３７に遮蔽部３７ｂが形成されている。この遮蔽部３７ｂは、支持部３７ａの後端部から下方に延びており、筐体２の前後方向において係止部材３３と対向するように、係止部材３３の後方に配置されている。したがって、係止部材３３は、遮蔽部３７ｂと対向している（覆われている）分だけ後方への露出面積が小さくなり、筐体２の後方側から係止部材３３が不正操作される可能性を低くすることができる。また、支持板２３には、遮蔽部２３ｂが形成されている。この遮蔽部２３ｂは、筐体２の左右方向において係止部材３３と対向するよう、係止部材３３の左側（筐体２の一側部側）に配置されている。したがって、筐体２の後方側から係止部材３３が不正操作される可能性を低くすることができる。
【００５７】
なお、この発明は、上記の実施の形態に限定されるものでなく、その要旨を逸脱しない範囲において適宜変更可能である。
例えば、上記の実施の形態においては、筐体側ユニット５に上下の鉤部材１３，１４を設け、扉側ユニット６に上下の係合部材１９，２１を設けているが、筐体側ユニット５に係合部材１９，２１を設け、扉側ユニット６に上下の鉤部材１３，１４を設けてもよい。
また、上記の実施の形態においては、被支持部材として回転可能な支持ローラ３８が用いられているが、支持ローラ３８を支持板２３に回転不能に設けてもよい。
また、上記の実施の形態においては、傾斜板部１４ｇをストッパとして兼用しているため、下鉤部材１４のロック位置及び解除位置がそれぞれストッパの第１の位置及び第２の位置になっているとともに、コイルばね２５が第２付勢手段として兼用されている。しかし、ストッパは、下鉤部材１４と別体に形成してもよく、その場合にはストッパが筐体側取付プレート１１に第１の位置と第２の位置との間を変位可能に設けられる。また、第２付勢手段がコイルばね２５と別に設けられる。
【図面の簡単な説明】
【００５８】
【図１】この発明に係る施錠装置が用いられたゲーム機を示す斜視図である。
【図２】同ゲーム機を図１と異なる方向から見た斜視図である。
【図３】扉を閉じた状態での図２のＸ−Ｘ線に沿う拡大断面図である。
【図４】この発明に係る施錠装置の筐体側ユニットを示す図であって、図４（Ａ）はその正面図、図４（Ｂ）はその側面図、図４（Ｃ）はその背面図である。
【図５】同筐体ユニットを示す図であって、図５（Ａ）はその斜視図、図５（Ｂ）はその分解斜視図である。
【図６】同施錠装置の扉側ユニットを示す図であって、図６（Ａ）はその正面、図６（Ｂ）はその右側面図、図６（Ｃ）はその背面図、図６（Ｄ）はその左側面図である。
【図７】同扉側ユニットを示す図であって、図７（Ａ）はその斜視図、図７（Ｂ）はその分解斜視図である。
【図８】同施錠装置の筐体側ユニットと扉側ユニットとの関係を示す図であって、筐体側ユニットと扉側ユニットとが互いに離間しているときの状態を示している。
【図９】図８と同様の関係を示す図であって、支持ローラが係止部材の傾斜板部に突き当たったときの状態を示している。
【図１０】図８と同様の関係を示す図であって、支持ローラが下鉤部材の傾斜板部に突き当たったときの状態を示している。
【図１１】図８と同様の関係を示す図であって、支持ローラによって下鉤部材が解除位置の手前の位置まで移動させられたときの状態を示している。
【図１２】図８と同様の関係を示す図であって、扉が閉位置に回動し、上下の鉤部材が上下の係合ローラとそれぞれ係合した状態を示している。
【図１３】この発明に係る施錠装置の要部を示す斜視図であって、上下の鉤部材がロック位置に位置し、かつ係止部材が上限界位置に位置しているときの状態を示している。
【図１４】図１３と同様の図であって、上下の鉤部材が解除位置に位置し、かつ係止部材が対向位置に位置しているときの状態を示している。
【図１５】上下の鉤部材がロック位置に位置し、上下の係合ローラが上下の係合凹部の底部に突き当たっているときの、筐体側ユニットと扉側ユニットとの関係を示す図であって、図１５（Ａ）はその正面図、図１５（Ｂ）はその側面図である。
【図１６】上下の係合ローラが上下の係合凹部の中間部より若干解除位置側まで移動したときの図１５と同様の図であって、図１６（Ａ）はその正面図、図１６（Ｂ）はその側面図である。
【図１７】上下の係合ローラが上記係合凹部から抜け出たときの図１５と同様の図であって、図１７（Ａ）はその正面図、図１７（Ｂ）はその側面図である。
【図１８】扉が閉位置に位置し、かつシリンダ錠が中立位置の状態になっているときの筐体側ユニット扉側ユニットとの関係を示す図であって、図１８（Ａ）はその正面図、図１８（Ｂ）はその側面図である。
【図１９】シリンダ錠がリセット位置までリセット操作されたときの図１８と同様の図であって、図１９（Ａ）はその正面図、図１９（Ｂ）はその側面図である。
【図２０】扉が閉位置に位置しているときの筐体側ユニットと扉側ユニットとの関係を示す図であって、図２０（Ａ）はシリンダ錠が中立位置の状態になっているときの斜視図であり、図２０（Ｂ）はシリンダ錠がリセット位置にリセット操作されたときの状態を示す斜視図である。
【図２１】この発明の第２実施の形態の要部を示す図１４と同様の図である。
【図２２】同要部を示す図１３と同様の図である。
【図２３】この発明の第３実施の形態の要部を、扉が若干開いたときの状態で示す斜視図である。
【図２４】同要部を、扉が閉じたときの状態で示す斜視図である。
【図２５】同実施の形態を示す図３と同様の断面図である。
【符号の説明】
【００５９】
１  パチスロ機（ゲーム機）
２  筐体
３  扉
４  施錠装置
５  筐体側ユニット
６  扉側ユニット
１３  上鉤部材（鉤部材）
１４  下鉤部材（鉤部材）
１４ｇ  傾斜板部（ストッパ；被係合部）
１９  上係合ローラ（係合部材）
２１  下係合ローラ（係合部材）
２４  シリンダ錠（錠前）
２５  コイルばね（付勢手段；第２付勢手段）
３３  係止部材
３３ｂ  傾斜板部（当接部）
３３ｃ  水平部（ストッパ）
３５  コイルばね（第２付勢手段；第３付勢手段）
３７  受け部材
３８  支持ローラ（被支持部材）
【図１】
2008086443.tif 000003
【図２】
2008086443.tif 000004
【図３】
2008086443.tif 000005
【図４】
2008086443.tif 000006
【図５】
2008086443.tif 000007
【図６】
2008086443.tif 000008
【図７】
2008086443.tif 000009
【図８】
2008086443.tif 000010
【図９】
2008086443.tif 000011
【図１０】
2008086443.tif 000012
【図１１】
2008086443.tif 000013
【図１２】
2008086443.tif 000014
【図１３】
2008086443.tif 000015
【図１４】
2008086443.tif 000016
【図１５】
2008086443.tif 000017
【図１６】
2008086443.tif 000018
【図１７】
2008086443.tif 000019
【図１８】
2008086443.tif 000020
【図１９】
2008086443.tif 000021
【図２０】
2008086443.tif 000022
【図２１】
2008086443.tif 000023
【図２２】
2008086443.tif 000024
【図２３】
2008086443.tif 000025
【図２４】
2008086443.tif 000026
【図２５】
2008086443.tif 000027